(57)【特許請求の範囲】
【請求項１】
正極性電極板および負極性電極板を含む複数の電極板（Ｐ１００、Ｐ２００）を備え、
前記正極性電極板および前記負極性電極板は交互に配置され、
前記複数の電極板の両端に配置されている電極板を第一電極板（Ｐ２００）および第二電極板（Ｐ２００）とし、
前記第一電極板および前記第二電極板は、縁部から外側へ突出し、電流を集める端子（Ｔ１００）を複数有し、
前記第一電極板および前記第二電極板の外側には、前記複数の端子のうちの少なくとも二つの前記端子を接続し、低いインナー抵抗を有する構造（Ａ）を有し、前記低いインナー抵抗を有する構造（Ａ）は、網状導体構造または細長状導体構造であり、
前記第一電極板および前記第二電極板の内側面は、電化学反応活性塗装層が塗装され、格子紋に形成される構造（Ｂ）を有することを特徴とする低いインナー抵抗を有する蓄電、放電装置のバス構造。
【請求項２】
前記複数の端子のうち少なくとも二つが対向するよう形成され、
前記端子を相互に接続する電気導通バーを有することを特徴とする請求項１に記載の低いインナー抵抗を有する蓄電、放電装置のバス構造。
【請求項３】
前記低いインナー抵抗を有する構造の抵抗値は、電化学反応活性塗装層が塗装され、格子紋に形成される構造の抵抗値より小さく設定されることを特徴とする請求項１または２に記載の低いインナー抵抗を有する蓄電、放電装置のバス構造。
【請求項４】
前記第一電極板と前記第二電極板との間に配置されている電極板は、電化学反応活性塗装層が塗装され、格子紋に形成される構造を有し、正極性電極板と負極性電極板とが隔離体を介して交互に配置され、縁部から外側へ突出し電流を集める端子を複数有することを特徴とする請求項１または２に記載の低いインナー抵抗を有する蓄電、放電装置のバス構造。
【請求項５】
前記第一電極板と前記第二電極板との間に配置されている電極板は、電化学反応活性塗装層が塗装され、格子紋に形成される構造を有し、正極性電極板と負極性電極板とが隔離体を介して交互に配置され、縁部から外側へ突出て少なくとも二つが対向するよう形成され電流を集める端子を複数有することを特徴とする請求項１または２に記載の低いインナー抵抗を有する蓄電、放電装置のバス構造。
【請求項６】
前記複数の電極板は、二枚毎に電極板グループを形成することを特徴とする請求項１〜５のいずれか一項に記載の低いインナー抵抗を有する蓄電、放電装置のバス構造。
【発明の詳細な説明】
【０００１】
【発明の属する技術分野】
本発明は低いインナー抵抗を有する蓄電、放電装置のバス構造の改良に関する。
【０００２】
【従来の技術】
従来から、蓄電、放電装置は様々な一次元電池や二次元電池や燃料電池やコンデンサーやスーパーコンデンサーなどがある。図１に示すのは伝統の構造として、単辺に、電流を集める端子を設置する電極板の実施例の説明図である。各電極板Ｐ１００の単辺に、電流を集める端子Ｔ１００を設置して、出力又は入力の電流を集める機能を達成し、又はほかの電極との直列、並列接続ポイントとする。
【０００３】
【発明が解決しようとする課題】
しかしながら、電極板の単辺しか、出力又は入力電流がないので、電流を集める端子の隣接エリア及び端子Ｔ１００から遠く離れるエリアを調べて見ると、出力又は入力の電流が大きい場合に、電流密度の不均一現象が生じる。単辺へずれる電流パスのインナー抵抗がより大きいので、進歩の構造は二箇所又は二箇所以上の電流を集める端子を用意して、電極板には、二つ又は二つ以上の電流パスが形成され、インナー抵抗を低降させる。細長い連結導体で、同じ電極タンク又は異なる電極タンクにおいて、同じ電圧規格、同じ極性電極板の前述二箇所又は二箇所以上の電流を集める端子を並列のように接続する。又は異なる電極タンクの異なる極性の電流を集める端子を直列、直列並列のように接続する。そんな構成は次のとおりである。正電極板及び負電極板は円形、近似円形、三辺、三辺以上（三辺形、四辺形、五辺形、六辺形、七辺形、八辺形、八辺形以上の多辺形）などの電極板から構成される。インナー抵抗を低くさせるために、電流を集める構造の形態は次のように分けられる。
【０００４】
（１）電極板の両辺又は両辺以上には、個別に外へ延ばすように、一つ或いは一つ以上の電流を集める端子を設ける。図２に示すのは電極板の両辺に、それぞれ電流を集める端子を配置する実施例の説明図である。又は、電極板Ｐ１００の一辺或いは一辺以上に、二つ或いは二つ以上の電流を集める端子を設置し、二つ又は二つ以上の電流パスが形成され、インナー抵抗を低降させる。図３に示すのは電極板の相対辺に、二つ電流を集める端子を配置する一例の説明図である。
【０００５】
（２）電極板Ｐ１００の外側に隣接する両辺又は両辺以上の選定エリア或いは中間エリアに、個別に、一つ又は一つ以上の電気導通の貫通孔を設け、又は一辺や一辺以上の電気導通の貫通孔を設ける。しかも、前述の正電極板及び負電極板の両辺又は両辺以上の選定エリア或いは中間エリアにおいて、異なる極性の電極板の一箇所や一箇所以上を選定して、電気導通バーＢ１００を通過するが接触しないという一箇所や一箇所以上の隔離空間或いは隔離ノッチを設ける。電気導通バーのサイズより大きな一つ又は一つ以上の隔離貫通子を加工してもよい。そうすると、二つ又は二つ以上の電流パスが形成され、インナー抵抗を低降させる。図４に示すのは電極板に、二つ貫通孔及び二つ隔離ノッチを設置する一例の説明図である。
【０００６】
前述の構造は蓄電、放電装置の電流パスを増加し、蓄電、放電装置のインナー抵抗を低降させるが、個別電極タンクの多辺、マルチパスの直列や並列接続のコストがより高いばかりでなく、製造の工時もよくかかる。
したがって本発明の目的は、マルチパスの直列や並列接続のコストを押さえ製造工数も押さえた、低いインナー抵抗を有する蓄電、放電装置のバス構造を提供することにある。
【０００７】
【課題を解決するための手段】
上述の目的を達成するため、本発明の請求項１記載の低いインナー抵抗を有する蓄電、放電装置のバス構造は、蓄電、放電装置の各電極板には一箇所以上の電流を集める構造を設け、電極板が電流を集めるマルチパスを備える。同じ電極タンク同士や異なる電極タンクの同じ電位規格及び同じ極性の電極板の電流を集める端子を並列のように接続し、又は異なる極性の電極板の間における電流を集める端子を直列や直列並列のように接続する。さらに、個別の電極タンクの両側に配置された正極性および負極性の電極板の外側面を出力、入力の電流が有利に集められるという低い抵抗の構造へつくる。
【０００８】
【発明の実施の形態】
以下、本発明の実施例を図面に基づいて説明する。
本発明の一項目又は一項目以上の構造特徴を採用して、低いインナー抵抗を有する蓄電、放電装置のバスの改良構造を形成し、様々な応用実施例が次のように挙げられる。同じ設計理念で、適用できる必要な幾何形状は極めて多い。電流を集める端子を設置する各辺及び設置の端子数量は選択できる。図５から図３５は利便に説明するための代表実施例だけで、低いインナー抵抗を有する蓄電、放電装置のバス構造の改良範囲を制限しない。本発明の設計構造の特徴だけを著しく顕わすために、伝統蓄電、放電装置の広く採用した外殻体や異なる極性電極板の間における電解質、隔離薄片、隔離ペド、隔離フィルム、誘電材料フィルムなどは次の応用実施例、図面、説明には、すべて省略され、又は概要に述べられる。
【０００９】
まずは図５から図１０に示すように、本発明の一実施例による低いインナー抵抗を有する蓄電、放電装置のバス構造の改良を調べて見ると、低いインナー抵抗の構造は各独立電極タンクの両側における正極性、負極性電極板の外側面の改良及び電流を集める端子の改良を含む。各独立電極タンクの両側における正極性、負極性電極板の外側面の改良設計は次のようになる。
【００１０】
独立電池タンクには、一枚又は一枚以上の並列正電極板Ｐ１００及び対応した一枚又は一枚以上の並列負電極板Ｐ１００を個別の電極タンクに設置し、個別の電極カップルを形成する。個別電極タンクの両側の正極性又は負電極性の電極板Ｐ２００の外側面において、電流端子を集める端子の間はニーズにより、材質を選択し、特定に、選定の厚さを持つ、平板端面状の電流を集める導体構造へ製作する。そうすると、外側の正極性又は負電極性の電極板Ｐ２００の周辺の電流を集める端子Ｔ１００の間に通過する抵抗値は同電極板の別面に、格子紋を持つ、電化学反応活性塗装層（Ａｃｔｉｖｅ  Ｍａｔｅｒｉａｌ）のある正常電極面の抵抗値より低い。
【００１１】
図５に示すのは本発明の一実施例による低いインナー抵抗を有する蓄電、放電装置のバス構造の改良であり、個別の電極タンクに、外側の電極板は自身の外側面に、一体化又は平板式厚さを追加する平板状のように、電流を集める導体構造を形成する説明図である。なお、前述の平板状は等しい厚さ平板又は等しくない傾斜の厚さの平板構造を含む。図６は図５の側視図である。図７は図５の構造を同じ極性のように並列するアセンブリ説明図である。前述の独立電極タンクに構成した個別電極カップルの両側の正極性又は負極性電極板Ｐ２００の外側面において、各電流を集める端子Ｔ１００の間は選定の厚さの網状導体構造を採用してもよい。図８は本発明の一実施例による低いインナー抵抗を有する蓄電、放電装置のバス構造の改良であり、各独立の電極タンクにおいて、外側の電極板の自身の外側面に、電流を集める網状導体構造を形成する説明図である。図９は図８の側視図である。図１０は図８の構造を同じ極性のように並列するアセンブリ説明図である。
【００１２】
また、独立電極タンクに構成した個別電極カップルの両側の正極性又は負極性電極板Ｐ２００の外側面において、各電流を集める端子Ｔ１００の間はハンダ付け、溶接、リベット接続、ねじ込み、圧力押し合い、内部埋め込み、嵌め込み、又は他の方式で、薄片状、網状、細長い状の電流を集める導体を結合してもよい。よって、外側の正極性又は負電極性の電極板Ｐ２００の周辺の電流を集める端子Ｔ１００の間に通過する抵抗値は同電極板の別面に、格子紋を持つ、電化学反応活性塗装層（Ａｃｔｉｖｅ  Ｍａｔｅｒｉａｌ）のある正常電極面の抵抗値より低い。
【００１３】
図１１は本発明の一実施例による低いインナー抵抗を有する蓄電、放電装置のバス構造の改良であり、各独立の電極タンクにおいて、外側の電極板の自身の外側面に、電流を集める細長い状導体構造を形成する説明図である。図１２は図１１の側視図である。図１３は図１１の構造を同じ極性のように並列するアセンブリ説明図である。
【００１４】
上述外側の平板状端面の電極板は二つ又は二つ以上の独立の電極タンクを連結することができ、同電圧規格ならば、同極性並列または異なる極性直列のように接続できる。図１４は図５の各独立の電極タンクにおいて、電流を集める端子はマルチパス直列のように、アセンブリする説明図である。
【００１５】
その他、ニーズにより、外側の平板状の端面の電極板はほかの電極タンクを連結するために、設置した電流を集める端子の一側に、さらに、二つ又は二つ以上の電流を集める端子を設置してもよい。それで、マルチパスのように、接続することにより、抵抗を低降させる。図１５は図５の外側において、平板状電気導通構造を具有する電極板に、二つ又は二つ以上の電流を集める端子を配置する実施例の説明図である。図１６は図１５の側視図である。
【００１６】
本発明の一実施例による低いインナー抵抗を有する蓄電、放電装置のバス構造の改良は個別電極タンク両側の正極性又は負極性電極板Ｐ２００の外側電気導通構造について、二つの電流を集める端子Ｔ１００を設置する。マルチグループの個別電極タンクを直列、並列するという応用の場合に、各個別電極タンクは二つの電流を集める端子で、並列、直列のように接続される。図１７は図５の各独立の電極タンクにおいて、電流を集める端子はマルチパス並列、直列のように、アセンブリする説明図である。
【００１７】
本発明の一実施例による低いインナー抵抗を有する蓄電、放電装置のバス構造の改良は電流を集める端子と電極板の抵抗値をさらに低降させるために、電流を集める端子が外へ延ばせる台形を採用してもよい。つまり、電流を集める台形端子の広い台形底辺を電極板に連結し、電極板の出力、入力のインナー抵抗を下げる。
【００１８】
前述の電流を集める台形端子の電極板の応用案例は両面格子紋を持つ、電化学反応活性塗装層（Active Material）のある正常電極板Ｐ１００や個別電極タンクの両側に設置した正極性又は負電極姓の電極板Ｐ２００の二つ、二つ以上の出力、入力用の電流を集める端子Ｔ１００などがあげられる。それが電極板Ｐ１００や正極性又は負電極性の電極板Ｐ２００の一辺、一辺以上に設置してもよい。一つ又は一つ以上の電流を集める端子を電極板Ｐ１００や正極性又は負電極性の電極板Ｐ２００の両辺、両辺以上に設置してもよい。
【００１９】
図１８は、低いインナー抵抗を有する蓄電、放電装置のバス構造の改良電極板に、電流を集める端子を配置する実施例（一）である。主に、個別電極タンクの両側の正極性又は負電極性の電極板Ｐ２００の外側面において、単辺の中間に、電流を集める台形端子Ｔ１００が二つある。それで、図２０の電極板と一対のように、正、負の電極カップルを形成する。図１９は図１８の側視図である。
【００２０】
図２０は、低いインナー抵抗を有する蓄電、放電装置のバス構造の改良電極板に、電流を集める端子を配置する実施例（二）である。主に、個別電極タンクの両側の正極性又は負電極性の電極板Ｐ２００の外側面において、単辺の両側に、電流を集める台形端子Ｔ１００が二つある。それで、図１８の電極板と一対のように、正、負の電極カップルを形成する。図２１は図２０の側視図である。
【００２１】
図２２は、低いインナー抵抗を有する蓄電、放電装置のバス構造の改良電極板に、電流を集める端子を配置する実施例（三）である。主に、個別電極タンクの両側の正極性又は負電極性の電極板Ｐ２００の外側面において、単辺に、電流を集める台形端子Ｔ１００が外へ延ばすように二つある。その特徴は電流を集める同辺の台形端子のピークと電極板の両辺側縁の寸法差異がある。そうすると、同じ形状の二枚電極板を反面重畳のように放置して、電極カップルを形成するときに、隣接の正負極板が交差重畳に配置されるので、電流を集める各端子が交差するが相互に干渉せず、利便に連結できる。より広い台形の根部は電流を集める立派な効果を遂げる。図２３は図２２の側視図である。
【００２２】
図２４は、低いインナー抵抗を有する蓄電、放電装置のバス構造の改良電極板に、電流を集める端子を配置する実施例（四）である。主に、個別電極タンクの両側の正極性又は負電極性の電極板Ｐ２００の外側面において、単辺に、電流を集める台形端子Ｔ１００が外へ延ばすように三つある。その特徴は電流を集める同辺の台形端子のピークと電極板の両辺側縁の寸法差異がある。そうすると、同じ形状の二枚電極板を反面重畳のように放置して、電極カップルを形成するときに、隣接の正負極板が交差重畳に配置されるので、電流を集める各端子が交差するが相互に干渉せず、利便に連結できる。より広い台形の根部は電流を集める立派な効果を遂げる。図２５は図２４の側視図である。
【００２３】
図２６は、低いインナー抵抗を有する蓄電、放電装置のバス構造の改良電極板に、電流を集める端子を配置する実施例（五）である。主に、個別電極タンクの両側の四辺形正極性又は負電極性の電極板Ｐ２００の外側面において、向き合う両辺の各辺毎に、電流を集める台形端子Ｔ１００が外へ延ばすように一つある。その特徴は電流を集める同辺の二つ台形端子のピークと電極板の両辺側縁の寸法差異がある。そうすると、同じ形状の二枚電極板を反面重畳のように放置して、電極カップルを形成するときに、隣接の正負極板が交差重畳に配置されるので、電流を集める各端子が交差するが相互に干渉せず、利便に連結できる。より広い台形の根部は電流を集める立派な効果を遂げる。図２７は図２６の側視図である。
【００２４】
図２８は、低いインナー抵抗を有する蓄電、放電装置のバス構造の改良電極板に、電流を集める端子を配置する実施例（六）である。主に、個別電極タンクの両側の四辺形正極性又は負電極性の電極板Ｐ２００の外側面において、向き合う両辺の各辺毎に、電流を集める台形端子Ｔ１００が外へ延ばすように二つある。その特徴は電流を集める同辺の二つ台形端子のピークと電極板の両辺側縁の寸法差異がある。そうすると、同じ形状の二枚電極板を反面重畳のように放置して、電極カップルを形成するときに、隣接の正負極板が交差重畳に配置されるので、電流を集める各端子が交差するが相互に干渉せず、利便に連結できる。より広い台形の根部は電流を集める立派な効果を遂げる。図２９は図２８の側視図である。
【００２５】
図３０は、低いインナー抵抗を有する蓄電、放電装置のバス構造の改良電極板に、電流を集める端子を配置する実施例（七）である。主に、個別電極タンクの両側の四辺形正極性又は負電極性の電極板Ｐ２００の外側面において、向き合う両辺の各辺毎に、電流を集める台形端子Ｔ１００が外へ延ばすように三つある。その特徴は両辺の各辺に、電流を集める三つの台形端子と電極板における端子を設置しない両辺側縁との寸法差異がある。そうすると、同じ形状の二枚電極板を反面重畳のように放置して、電極カップルを形成するときに、隣接の正負極板が交差重畳に配置されるので、電流を集める各端子が交差するが相互に干渉せず、利便に連結できる。より広い台形の根部は電流を集める立派な効果を遂げる。図３１は図３０の側視図である。
【００２６】
図３２は、低いインナー抵抗を有する蓄電、放電装置のバス構造の改良電極板に、電流を集める端子を配置する実施例（八）である。主に、個別電極タンクの両側の四辺形正極性又は負電極性の電極板Ｐ２００の外側面において、中心から、外周へ見る各辺に沿って、左又は右の同方向へずれるように、電流を集める台形端子Ｔ１００が一つ設けられる。そうすると、同じ形状の二枚電極板を反面重畳のように放置して、電極カップルを形成するときに、隣接の正負極板が交差重畳に配置されるので、電流を集める各端子が交差するが相互に干渉せず、利便に連結できる。より広い台形の根部は電流を集める立派な効果を遂げる。図３３は図３２の側視図である。
【００２７】
図３４は、低いインナー抵抗を有する蓄電、放電装置のバス構造の改良電極板に、電流を集める端子を配置する実施例（九）である。主に、個別電極タンクの両側の四辺形正極性又は負電極性の電極板Ｐ２００の外側面において、中心から、外周へ見る各辺に沿って、左又は右の同方向へずれるように、電流を集める台形端子Ｔ１００が二つ設けられる。そうすると、同じ形状の二枚電極板を反面重畳のように放置して、電極カップルを形成するときに、隣接の正負極板が交差重畳に配置されるので、電流を集める各端子が交差するが相互に干渉せず、利便に連結できる。より広い台形の根部は電流を集める立派な効果を遂げる。図３５は図３４の側視図である。
【００２８】
前述した図５から図３５の各実施例は具体の応用案例だけで、本設計の応用範囲を制限しない。実際に、四辺形又は近似四辺形の電極板を応用する場合に、両側又は四側に、電流を集める端子を設置する以外、三側だけに、電流を集める端子を設置してもよい。電極板の形状は四辺形を採用する以外、円形や近似円形や楕円形や近似楕円形や三辺形や三辺形以上（三辺形、四辺形、五辺形、六辺形、七辺形、八辺形、八辺形以上の多辺形）を採用してもよい。電極板毎は二つ又は二つ以上の電流を集める端子があるので、電流を集めるパスは二つ又は二つ以上があることを特徴とする。
【００２９】
前述した図２４から図３５の各実施例について、電極板が応用のニーズに応じて、特殊な特徴がある以外、各実施例は次の全部又は部分の特徴を含む。
前述の正電極板及び負電極板は円形や近似円形や楕円形や近似楕円形や三辺形や三辺形以上（三辺形、四辺形、五辺形、六辺形、七辺形、八辺形、八辺形以上の多辺形）の電極板構造から構成される。同じ電極タンクや異なる電極タンクの同じ電位規格及び同じ極性電極板の電流を集める端子を並列のように接続し、又は異なる電極タンクの異なる極性の電極板の間における電流を集める端子を直列や直列並列混合のように接続する。
【００３０】
低いインナー抵抗を有する蓄電、放電装置のバス構造が無極性の蓄電、放電装置（例えば、コンデンサー）に応用すれば、前述の正電極板及び負電極板は第一電極板及び第二電極板に取り替えられる。
電気導通バーは電極板の電気導通貫通孔を貫通して結合する。結合したあとの電気導通バー及び電極板は電気導通のよい状態となる。電気導通バーは円形や方形や三角形や楕円形やほかの幾何断面形状のソリッド又は中空管又は長手軸方向の隙間を持つクローズドではない中空管構造のフレキシブルバーから形成される。
【００３１】
上述構造の電気導通バーの両端に、それぞれ突出のキャップやねじやナットやワンウェイのガスケット、絶縁押し板などを設けて、電極板のグループを強力のように、締め付けて、機構の安全性を向上させる。
上述構造の電気導通バーで、同極性電極板の電気導通貫通孔を通過して、並列のように、電流を集める効果を果たし、又は、異なる極性電極の電気導通貫通孔の間を通過して、直列の効果を果たし、又は同時に、同極性及び異なる極性電極の間を貫通して、並列のように、電流を集める効果及び直列の効果を果たす。
【００３２】
上述電気導通バーが中空管から構成すれば、さらに、気体の状態や液体の状態の流体パンプ及び冷却用放熱装置（又は加熱装置）を追加してもよい。それで、気体の状態や液体の状態の流体を作動し、管状の電気導通バーを通過して、冷却又は加熱の温度調節の効果を達成する。
【００３３】
電気導通バーが並列のように、電流を集める構造として、通過の流体が絶縁の流体ならば、各同電位の電極における管状の電気導通バーは直接に、パスを直列又は並列することができる。
電気導通バーが並列のように、電流を集める効果及び直列効果を果たすと応用すれば、各異なる電位の電気導通バーの間が絶縁のガイドパイプで、直列又は並列され、冷却又は加熱の温度調節用の気体の状態や液体の状態の流体を通過
する。
【００３４】
電気導通バーと通過される電極板の隔離貫通孔との間は絶縁のコイル状又は管状の絶縁物をいれることがよい。それで、絶縁性を確保して、電極板グループの間の構造安定性を向上させる。
電気導通バーと通過される電極板の隔離ノッチとの間は絶縁ブロックをいれることがよい。それで、絶縁性を確保して、電極板グループの間の構造安定性をアップさせる。
【００３５】
電気導通バーと通過される電極板の隔離空間は空間安定ブロックを設置してもよい。それで、絶縁性を確保して、電極板グループの間の構造安定性を向上させる。
個別電極板の両側又は両側以上には、個別に外へ延ばすように、二つ又は二つ以上の電流を集める端子を設ける。それで、同極性電極板の間をマルチパス並列のように接続させ、又は異なる極性の電極板の間を直列のように接続させる。また、蓄電装置の同一電極板が電流を入力又は出力する場合に、ツウウェイ又はツウウェイ以上の電流パスを供給するので、蓄電装置の入力又は出力するときのインナー抵抗を低降させる。
【００３６】
隔離体は各層ずつ、異なる極性の電極板の間に配置される隔離薄片、隔離フィルム（又は隔離ぺド）である。隔離体がはめる構造を採用する場合に、同時に、正、負電極板にはめて、又はその一つ極性の電極にはめて隔離させる。
殻体は蓄電、放電装置の容器として、電極板を保護し、絶縁材料又は非絶縁材料から構成される。非絶縁材料から構成されば、殻体の内側と内部電極との間に、別に絶縁物を追加する。
【００３７】
図３６は本実施例による貫通孔及び電気導通バーで、蓄電、放電の装置を構成したものである。前述のように、本実施例の低いインナー抵抗を有する蓄電、放電装置のバス構造の改良は同電極タンクの両側における正、負電極板の電流端子がニーズにより、一つ又は一つ以上設置し、一辺又は一辺以上に設置する以外、ほかの電極板ならば、個別電極板の両側又は両側以上には、個別に外へ延ばすように、二つ又は二つ以上の電流を集める端子を一側又は一側以上に設ける。それで、同極性電極板の間をマルチパス並列のように接続させ、又は異なる極性の電極板の間をマルチパス直列のように接続させる。電流を集める端子は円形や方形やほかの幾何形状のソリッド又は中空管状の電気導通バーから形成される。それで、蓄電、放電装置電極板の間の電気導通貫通孔を貫通して結合する。よって、同極性電極板を並列のように接続し、異なる極性の電極板を直列や直列並列混合のように接続する。
【００３８】
さらに、連結導体で、同じ電極タンクや異なる電極タンクの同じ電位規格及び同じ極性電極板の電流を集める端子を並列のように接続し、又は異なる電極タンクの異なる極性の電極板の間における電流を集める端子を直列や直列並列混合のように接続する。しかも、個別電極タンクの両側の正極性や負極性の電極板の外側面を出力、入力の電流が簡易に集められるという低い抵抗の構造へつくって、又は、電流を集める並列電気導通体を追加して、入力又は出力の集める電流の抵抗を低降させることを特徴とする。
【００３９】
以上の内容をまとめると、本発明の実施例による低いインナー抵抗を有する蓄電、放電装置のバス構造は新規の発想として、確かに、蓄電、放電装置の電流を集める電極板の構造をよく改良し、全体の構造強度を著しく向上させるので、設計の進歩性が十分ある。
【００４０】
本発明の実施例により提供される低いインナー抵抗を有する蓄電、放電装置のバス構造は一次元電池や二次元電池や燃料電池やコンデンサーやスーパーコンデンサーなど蓄電、放電装置に応用される。蓄電、放電装置の各電極板は一箇所や一箇所以上の電流を集める構造を設け、電極板が電流を集めるマルチパスを持つ。また、同じ電極タンクや異なる電極タンクの同じ電位規格及び同じ極性電極板の電流を集める端子を並列のように接続し、又は異なる極性の電極板の間における電流を集める端子を直列や直列並列のように接続する。さらに、個別電極タンクの両側の正極性や負極性の電極板の外側面を出力、入力の電流が有利に集められるという低い抵抗の構造へつくることを特徴とする。
【００４１】
本発明の実施例により提供される低いインナー抵抗を有する蓄電、放電装置のバス構造はさらに、連結導体で、同じ電極タンクや異なる電極タンクの同じ電位規格及び同じ極性電極板の電流を集める端子を並列のように接続し、又は異なる電極タンクの異なる極性の電極板の間における電流を集める端子を直列や直列並列混合のように接続する。しかも、個別電極タンクの両側の正極性や負極性の電極板の外側面を出力、入力の電流が簡易に集められるという低い抵抗の構造へつくって、又は、電流を集める並列電気導通体を追加して、又は優れた電気導通性の材質を採用し、入力又は出力の集める電流の抵抗を低降させることを特徴とする。
また、ニーズにより、次の単独又は各項目の構造特徴を選択する。
【００４２】
個別電極タンクは電極タンクの両側の正極性又は負極性電極板Ｐ２００の外側面に設置する。有利に、電流を集める端子Ｔ１００の入力、出力を連結するために、平板状又は細長い状又は網状又は他の選定形状、選定材質を採用して、低いインナー抵抗の電流を集めて、電気導通する構造が形成される。
【００４３】
個別電極タンクは電極タンクの両側の正極性又は負極性電極板の外側面に設置する。電流を集める出力端子の間は半田付けや溶接やリベット接続やねじ込み、力で押し合いや内部埋め込みや嵌め込みや他の方式で結合される。有利に、電流を集める端子の入力、出力を連結するために、平板状又は細長い状又は網状又は他の選定形状、選定材質を採用して、低いインナー抵抗の電流を集めて、電気導通する構造が形成される。
【００４４】
蓄電、放電装置の電流を集める入力、出力端子の電気導通構造は電極タンクの両側の正極性又は負極性電極板の外側面に設置する。有利に、電流を集める端子の入力、出力を連結するために、平板状又は細長い状又は網状又は他の選定形状、選定材質を採用して、低いインナー抵抗の電流を集めて、電気導通する構造が形成される。前掲の平板状は等しい厚さ平板状及び等しくない厚さ傾斜平板状の構造を含む。
【００４５】
蓄電、放電装置の電流を集める入力、出力端子の電気導通構造は電極タンクの両側の正極性又は負極性電極板の外側面に設置する。電流を集める出力端子の間は半田付けや溶接やリベット接続やねじ込み、力で押し合いや内部埋め込みや嵌め込みや他の方式で結合される。有利に、電流を集める端子の入力、出力を連結するために、平板状又は細長い状又は網状又は他の選定形状、選定材質を採用して、低いインナー抵抗の電気導通する構造が形成される。
【００４６】
マルチセットの同極性電極板の電流を集める各入力、出力端子の間には、並列の導体構造を採用する。選定の幾何形状及び選定材質の連結薄片状又はバー状の導体を追加する。
マルチセットの異なる極性電極板の電流を集める各入力、出力端子の間には、マルチパスの直列導体構造を採用する。さらに、選定の幾何形状及び選定材質の連結薄片状又はバー状の導体を追加する。
【００４７】
本発明の実施例による低いインナー抵抗を有する蓄電、放電装置のバス構造においては、独立電極タンクの中における両側面の正極性又は負極性電極板としては、その外側面が上述新規の低いインナー抵抗構造を具有する以外、ニーズに応じて、他の低いインナー抵抗構造を選定してもよい。電流を集める入力、出力端子はニーズにより、一つ又は一つ以上を設置し、一辺又は一辺以上に設置することを特徴とする。
【図面の簡単な説明】
【図１】伝統の方式として、単辺に、電流を集める端子を設置する電極板の一例の説明図である。
【図２】従来から、既存の電極板の両辺に、電流を集める端子を設置する一例の説明図である。
【図３】従来から、既存の電極板の相対辺に、電流を集める端子を設置する一例の説明図である。
【図４】従来から、既存の電極板に、二つの貫通孔及び二つの隔離ノッチを設置する一例の説明図である。
【図５】本発明の一実施例において、平板状のように、電流を集める導体構造を形成する説明図である。
【図６】図５の側視図である。
【図７】図５の構造を同じ極性のように並列するアセンブリ説明図である。
【図８】本発明の一実施例において、電流を集める網状導体構造を形成する説明図である。
【図９】図８の側視図である。
【図１０】図８の構造を同じ極性のように並列するアセンブリ説明図である。
【図１１】本発明の一実施例において、電流を集める細長い状導体構造を形成する説明図である。
【図１２】図１１の側視図である。
【図１３】図１１の構造を同じ極性のように並列するアセンブリ説明図である。
【図１４】図５の各独立の電極タンクにおいて、電流を集める端子はマルチパス直列のようにアセンブリするアセンブリ説明図である。
【図１５】図５の外側において、平板状電気導通構造を具有する電極板に、二つ又は二つ以上の電流を集める端子を配置する実施倒の説明図である。
【図１６】図１５の側視図である。
【図１７】図５の各独立の電極タンクにおいて、電流を集める端子はマルチパス並列、直列のようにアセンブリするアセンブリ説明図である。
【図１８】電極板に、電流を集める端子を配置する本発明の実施例（一）を示す模式図である。
【図１９】図１８の側視図である。
【図２０】電極板に、電流を集める端子を配置する本発明の実施例（二）を示す模式図である。
【図２１】図２０の側視図である。
【図２２】電極板に、電流を集める端子を配置する本発明の実施例（三）を示す模式図である。
【図２３】図２２の側視図である。
【図２４】電極板に、電流を集める端子を配置する本発明の実施例（四）を示す模式図である。
【図２５】図２４の側視図である。
【図２６】電極板に、電流を集める端子を配置する本発明の実施例（五）を示す模式図である。
【図２７】図２６の側視図である。
【図２８】電極板に、電流を集める端子を配置する本発明の実施例（六）を示す模式図である。
【図２９】図２８の側視図である。
【図３０】電極板に、電流を集める端子を配置する本発明の実施例（七）を示す模式図である。
【図３１】図３０の側視図である。
【図３２】電極板に、電流を集める端子を配置する本発明の実施例（八）を示す模式図である。
【図３３】図３２の側視図である。
【図３４】電極板に、電流を集める端子を配置する本発明の実施例（九）を示す模式図である。
【図３５】図３４の側視図である。
【図３６】貫通孔及び電気導通バーで、蓄電、放電の装置を構成する本発明の実施例を示す模式図である。
【符号の説明】
Ｐ１００    電極板
Ｔ１００    電流を集める端子
Ｓ１００    電気導通の貫通孔
Ｂ１００    電気導通バー
Ｐ２００    正極性又は負極性の電極板
【図１】
0005004397.tif 000002
【図２】
0005004397.tif 000003
【図３】
0005004397.tif 000004
【図４】
0005004397.tif 000005
【図５】
0005004397.tif 000006
【図６】
0005004397.tif 000007
【図７】
0005004397.tif 000008
【図８】
0005004397.tif 000009
【図９】
0005004397.tif 000010
【図１０】
0005004397.tif 000011
【図１１】
0005004397.tif 000012
【図１２】
0005004397.tif 000013
【図１３】
0005004397.tif 000014
【図１４】
0005004397.tif 000015
【図１５】
0005004397.tif 000016
【図１６】
0005004397.tif 000017
【図１７】
0005004397.tif 000018
【図１８】
0005004397.tif 000019
【図１９】
0005004397.tif 000020
【図２０】
0005004397.tif 000021
【図２１】
0005004397.tif 000022
【図２２】
0005004397.tif 000023
【図２３】
0005004397.tif 000024
【図２４】
0005004397.tif 000025
【図２５】
0005004397.tif 000026
【図２６】
0005004397.tif 000027
【図２７】
0005004397.tif 000028
【図２８】
0005004397.tif 000029
【図２９】
0005004397.tif 000030
【図３０】
0005004397.tif 000031
【図３１】
0005004397.tif 000032
【図３２】
0005004397.tif 000033
【図３３】
0005004397.tif 000034
【図３４】
0005004397.tif 000035
【図３５】
0005004397.tif 000036
【図３６】
0005004397.tif 000037